【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】ＩＣカードの製造方法及びＩＣカードの製造装置
【手続補正２】
【補正対象書類名】明細書
【補正対象項目名】特許請求の範囲
【補正方法】変更
【補正の内容】
【特許請求の範囲】
【請求項１】
対向する２つの支持体の間にアンテナ、ＩＣチップからなるＩＣモジュールを挟み込み接着剤により一体化するＩＣカードの製造方法において、
対向する片側の前記支持体が枚葉で、他方の前記支持体が長尺であり、それぞれの支持体に接着剤を塗工し、この塗工した接着剤上に前記ＩＣモジュールを載置し、対向する前記支持体を前記ＩＣモジュールを挟むように貼合圧着して貼り合わせ、一体化された長尺の支持体を枚葉の支持体形状に合わせて裁断し、この裁断シートの欠陥を検査し、前記裁断シートを積載し平板により圧力を与え、前記裁断シートをカード状に打ち抜き、このカード状の少なくとも一体化した前記支持体の片側表面に印刷することを特徴とするＩＣカードの製造方法。
【請求項２】
少なくとも対向する支持体の枚葉の支持体の片面に、予め印刷が施され、この印刷面が顔画像、識別情報を受容する面であることを特徴とする請求項１に記載のＩＣカードの製造方法。
【請求項３】
少なくとも対向する支持体の一方の支持体に一体化した後、透かすことで認識可能な透かしが予め施されていることを特徴とする請求項１または請求項２に記載のＩＣカードの製造方法。
【請求項４】
対向する支持体の一方に受像層を有し、他方の支持体に筆記可能な筆記層を有していることを特徴とする請求項１乃至請求項３のいずれか１項に記載のＩＣカードの製造方法。
【請求項５】
前記ＩＣモジュールが支持体に支持されてなる枚葉形状で、この枚葉形状のＩＣモジュールを予め印刷が施されている支持体の所定の位置に載置することを特徴とする請求項１に記載のＩＣカードの製造方法。
【請求項６】
前記貼合圧着が、連続加圧で行われることを特徴とする請求項１乃至請求項５のいずれか１項に記載のＩＣカードの製造方法。
【請求項７】
それぞれの支持体に接着剤を塗工し、この塗工した接着剤上に前記ＩＣモジュールを載置し、対向する前記支持体を前記ＩＣモジュールを挟むように貼合圧着して貼り合わせ、一体化された長尺の支持体を枚葉の支持体形状に合わせて裁断することが、連続的になされることを特徴とする請求項１乃至請求項６のいずれか１項に記載のＩＣカードの製造方法。
【請求項８】
前記裁断シートを積載し平板により圧力を与えた後に、少なくとも一体化した支持体の片側表面に印刷する前に、カード状に打ち抜くことを特徴とする請求項１乃至請求項７のいずれか１項に記載のＩＣカードの製造方法。
【請求項９】
カード状の打ち抜きが、予め片面支持体に印刷がなされた特定のパターンを認識して位置決めをして打ち抜き、このカードの形状を認識して他方の面に印刷を施すことを特徴とする請求項１乃至請求項８のいずれか１項に記載のＩＣカードの製造方法。
【請求項１０】
前記接着剤が、反応型ホットメルト接着剤であることを特徴とする請求項１乃至請求項９のいずれか１項に記載のＩＣカードの製造方法。
【請求項１１】
少なくとも凹凸欠陥、着色欠陥を光学的に検出し、この検出した欠陥情報を、電子情報による記録及び被検査支持体上に記録され、次工程で前記欠陥情報に基づき欠陥箇所を選別することを特徴とする請求項１乃至請求項１０のいずれか１項に記載のＩＣカードの製造方法。
【請求項１２】
前記凹凸欠陥は、特定光源からの正反射近傍の反射光により検出し、前記着色欠陥は、拡散光により検出することを特徴とする請求項１１に記載のＩＣカードの製造方法。
【請求項１３】
一体化した後の支持体に設けられているＩＣモジュールの動作欠陥を検出し、動作する前記ＩＣモジュールの個別の識別情報と動作不良情報、及び不良個所情報を、電子情報による記録及び被検査支持体上に記録し、次工程で前記情報に基づき欠陥箇所を選別することを特徴とする請求項１乃至請求項１０のいずれか１項に記載のＩＣカードの製造方法。
【請求項１４】
対向する２つの支持体の間にアンテナ、ＩＣチップからなるＩＣモジュールを挟み込み接着剤により一体化するＩＣカードの製造装置において、
対向する片側の前記支持体が枚葉で、他方の前記支持体が長尺であり、それぞれの支持体に接着剤を塗工する塗工工程と、塗工した接着剤上に前記ＩＣモジュールを載置するＩＣモジュール供給工程と、対向する前記支持体を前記ＩＣモジュールを挟むように貼合圧着する貼り合わせ工程と、一体化された長尺支持体を枚葉支持体形状に合わせて裁断する裁断工程と、この裁断シートの欠陥を検査する欠陥検査工程と、前記裁断シートを積載し平板により圧力を与える載置工程と、前記裁断シートをカード状に打ち抜く打ち抜き工程と、カード状の少なくとも一体化した前記支持体の片側表面に印刷する印刷工程と、を有することを特徴とするＩＣカードの製造装置。
【請求項１５】
貼り合わせ工程は、連続圧力印加手段を有することを特徴とする請求項１４に記載のＩＣカードの製造装置。
【請求項１６】
欠陥検査工程は、少なくとも凹凸欠陥、着色欠陥を検出し、凹凸欠陥は特定光源からの正反射近傍の反射光により検出し、着色欠陥は拡散光により検出する欠陥検査機を有することを特徴とする請求項１４に記載のＩＣカードの製造装置。
【手続補正３】
【補正対象書類名】明細書
【補正対象項目名】０００７
【補正方法】変更
【補正の内容】
【０００７】
請求項１に記載の発明は、『対向する２つの支持体の間にアンテナ、ＩＣチップからなるＩＣモジュールを挟み込み接着剤により一体化するＩＣカードの製造方法において、
対向する片側の前記支持体が枚葉で、他方の前記支持体が長尺であり、それぞれの支持体に接着剤を塗工し、この塗工した接着剤上に前記ＩＣモジュールを載置し、対向する前記支持体を前記ＩＣモジュールを挟むように貼合圧着して貼り合わせ、一体化された長尺の支持体を枚葉の支持体形状に合わせて裁断し、この裁断シートの欠陥を検査し、前記裁断シートを積載し平板により圧力を与え、前記裁断シートをカード状に打ち抜き、このカード状の少なくとも一体化した前記支持体の片側表面に印刷することを特徴とするＩＣカードの製造方法。』であり、手間をかけることなく安価にＩＣカードを作成でき、しかも、薄く、かつ表面の平滑性に優れる安価なＩＣカードを多量に生産できる。
【手続補正４】
【補正対象書類名】明細書
【補正対象項目名】０００８
【補正方法】変更
【補正の内容】
【０００８】
請求項２に記載の発明は、『少なくとも対向する支持体の枚葉の支持体の片面に、予め印刷が施され、この印刷面が顔画像、識別情報を受容する面であることを特徴とする請求項１に記載のＩＣカードの製造方法。』であり、後印刷を行なわないことで印刷の位置合わせが不要であり、安価にＩＣカードを作成できる。
【手続補正５】
【補正対象書類名】明細書
【補正対象項目名】０００９
【補正方法】変更
【補正の内容】
【０００９】
請求項３に記載の発明は、『少なくとも対向する支持体の一方の支持体に一体化した後、透かすことで認識可能な透かしが予め施されていることを特徴とする請求項１または請求項２に記載のＩＣカードの製造方法。』であり、後透かしを施さないことで透かしの位置合わせが不要であり、安価にＩＣカードを作成できる。
【手続補正６】
【補正対象書類名】明細書
【補正対象項目名】００１０
【補正方法】変更
【補正の内容】
【００１０】
請求項４に記載の発明は、『対向する支持体の一方に受像層を有し、他方の支持体に筆記可能な筆記層を有していることを特徴とする請求項１乃至請求項３のいずれか１項に記載のＩＣカードの製造方法。』であり、表面に顔画像と記載情報を有し、裏面に筆記可能なＩＣカードを簡単かつ安価に作成することができる。
【手続補正７】
【補正対象書類名】明細書
【補正対象項目名】００１１
【補正方法】変更
【補正の内容】
【００１１】
請求項５に記載の発明は、『前記ＩＣモジュールが支持体に支持されてなる枚葉形状で、この枚葉形状のＩＣモジュールを予め印刷が施されている支持体の所定の位置に載置することを特徴とする請求項１に記載のＩＣカードの製造方法。』であり、後印刷を行なわないことでＩＣモジュール等の位置合わせが不要であり、安価にＩＣカードを作成できる。
【手続補正８】
【補正対象書類名】明細書
【補正対象項目名】００１２
【補正方法】変更
【補正の内容】
【００１２】
請求項６に記載の発明は、『前記貼合圧着が、連続加圧で行われることを特徴とする請求項１乃至請求項５のいずれか１項に記載のＩＣカードの製造方法。』であり、貼合圧着を安価にかつ確実に行なうことができる。
【手続補正９】
【補正対象書類名】明細書
【補正対象項目名】００１３
【補正方法】変更
【補正の内容】
【００１３】
請求項７に記載の発明は、『それぞれの支持体に接着剤を塗工し、この塗工した接着剤上に前記ＩＣモジュールを載置し、対向する前記支持体を前記ＩＣモジュールを挟むように貼合圧着して貼り合わせ、一体化された長尺の支持体を枚葉の支持体形状に合わせて裁断することが、連続的になされることを特徴とする請求項１乃至請求項６のいずれか１項に記載のＩＣカードの製造方法。』であり、手間をかけることなく安価なＩＣカードを多量に生産できる。
【手続補正１０】
【補正対象書類名】明細書
【補正対象項目名】００１４
【補正方法】変更
【補正の内容】
【００１４】
請求項８に記載の発明は、『前記裁断シートを積載し平板により圧力を与えた後に、少なくとも一体化した支持体の片側表面に印刷する前に、カード状に打ち抜くことを特徴とする請求項１乃至請求項７のいずれか１項に記載のＩＣカードの製造方法。』であり、薄く平滑な耐久性の高いＩＣカードを多量に生産できる。
【手続補正１１】
【補正対象書類名】明細書
【補正対象項目名】００１５
【補正方法】変更
【補正の内容】
【００１５】
請求項９に記載の発明は、『カード状の打ち抜きが、予め片面支持体に印刷がなされた特定のパターンを認識して位置決めをして打ち抜き、このカードの形状を認識して他方の面に印刷を施すことを特徴とする請求項１乃至請求項８のいずれか１項に記載のＩＣカードの製造方法。』であり、カード状の打ち抜きの位置決めが容易で、しかも打ち抜き後他方の面の印刷が容易である。
【手続補正１２】
【補正対象書類名】明細書
【補正対象項目名】００１６
【補正方法】変更
【補正の内容】
【００１６】
請求項１０に記載の発明は、『前記接着剤が、反応型ホットメルト接着剤であることを特徴とする請求項１乃至請求項９のいずれか１項に記載のＩＣカードの製造方法。』であり、薄く平滑な耐久性の高いＩＣカードを多量に生産できる。
【手続補正１３】
【補正対象書類名】明細書
【補正対象項目名】００１７
【補正方法】変更
【補正の内容】
【００１７】
請求項１１に記載の発明は、『少なくとも凹凸欠陥、着色欠陥を光学的に検出し、この検出した欠陥情報を、電子情報による記録及び被検査支持体上に記録され、次工程で前記欠陥情報に基づき欠陥箇所を選別することを特徴とする請求項１乃至請求項１０のいずれか１項に記載のＩＣカードの製造方法。』であり、次工程で欠陥情報に基づき簡単かつ確実に欠陥箇所を選別することができる。
【手続補正１４】
【補正対象書類名】明細書
【補正対象項目名】００１８
【補正方法】変更
【補正の内容】
【００１８】
請求項１２に記載の発明は、『前記凹凸欠陥は、特定光源からの正反射近傍の反射光により検出し、前記着色欠陥は、拡散光により検出することを特徴とする請求項１１に記載のＩＣカードの製造方法。』であり、反射光源と拡散光源で凹凸と汚れを同時に検査することができる。
【手続補正１５】
【補正対象書類名】明細書
【補正対象項目名】００１９
【補正方法】変更
【補正の内容】
【００１９】
請求項１３に記載の発明は、『一体化した後の支持体に設けられているＩＣモジュールの動作欠陥を検出し、動作する前記ＩＣモジュールの個別の識別情報と動作不良情報、及び不良個所情報を、電子情報による記録及び被検査支持体上に記録し、次工程で前記情報に基づき欠陥箇所を選別することを特徴とする請求項１乃至請求項１０のいずれか１項に記載のＩＣカードの製造方法。』であり、次工程で情報に基づき簡単かつ確実に欠陥箇所を選別することができる。
【手続補正１６】
【補正対象書類名】明細書
【補正対象項目名】００２０
【補正方法】変更
【補正の内容】
【００２０】
請求項１４に記載の発明は、『対向する２つの支持体の間にアンテナ、ＩＣチップからなるＩＣモジュールを挟み込み接着剤により一体化するＩＣカードの製造装置において、
対向する片側の前記支持体が枚葉で、他方の前記支持体が長尺であり、それぞれの支持体に接着剤を塗工する塗工工程と、塗工した接着剤上に前記ＩＣモジュールを載置するＩＣモジュール供給工程と、対向する前記支持体を前記ＩＣモジュールを挟むように貼合圧着する貼り合わせ工程と、一体化された長尺支持体を枚葉支持体形状に合わせて裁断する裁断工程と、この裁断シートの欠陥を検査する欠陥検査工程と、前記裁断シートを積載し平板により圧力を与える載置工程と、前記裁断シートをカード状に打ち抜く打ち抜き工程と、カード状の少なくとも一体化した前記支持体の片側表面に印刷する印刷工程と、を有することを特徴とするＩＣカードの製造装置。』であり、手間をかけることなく安価にＩＣカードを作成でき、しかも、薄く、かつ表面の平滑性に優れる安価なＩＣカードを多量に生産できる。
【手続補正１７】
【補正対象書類名】明細書
【補正対象項目名】００２１
【補正方法】変更
【補正の内容】
【００２１】
請求項１５に記載の発明は、『貼り合わせ工程は、連続圧力印加手段を有することを特徴とする請求項１４に記載のＩＣカードの製造装置。』であり、貼合圧着を安価にかつ確実に行なうことができる。
【手続補正１８】
【補正対象書類名】明細書
【補正対象項目名】００２２
【補正方法】変更
【補正の内容】
【００２２】
請求項１６に記載の発明は、『欠陥検査工程は、少なくとも凹凸欠陥、着色欠陥を検出し、凹凸欠陥は特定光源からの正反射近傍の反射光により検出し、着色欠陥は拡散光により検出する欠陥検査機を有することを特徴とする請求項１４に記載のＩＣカードの製造装置。』であり、次工程で情報に基づき簡単かつ確実に欠陥箇所を選別することができる。
【手続補正１９】
【補正対象書類名】明細書
【補正対象項目名】００５３
【補正方法】変更
【補正の内容】
【００５３】
【発明の効果】
前記したように、請求項１に記載の発明では、支持体の片側表面に印刷することを特徴とするＩＣカードの製造方法であり、手間をかけることなく安価にＩＣカードを作成でき、しかも、薄く、かつ表面の平滑性に優れる安価なＩＣカードを多量に生産できる。
【手続補正２０】
【補正対象書類名】図面
【補正対象項目名】図２
【補正方法】変更
【補正の内容】
【図２】
2003168094.tif 000001